(57)【要約】【課題】悪質な「ワンギリ」のような不適切な着信に起因するユーザの不利益を防止するようにする。【解決手段】制御部１３は、着信に応じて発信元の識別情報である電話番号、および、着信時間長すなわち呼出し回数を加入者情報記憶部１４に記憶し、キー入力部５によって指定された電話番号の着信データにおける呼出し回数が短く、例えば１回だけのワンギリである場合には、ユーザがその電話番号に発信しようと操作した場合には、スピーカ３によって音声ガイダンスで警告を報知させる。【選択図】        図１
2005020043.tif 000002
【特許請求の範囲】
【請求項１】
着信に応じて発信元の識別情報および着信時間長を所定の記憶手段に記憶する着信制御手段と、
選択操作に応じて前記記憶手段に記憶されている任意の発信元の識別情報を指定する発信元指定手段と、
前記発信元指定手段によって指定された発信元の識別情報に係る着信時間長が所定時間未満である場合には所定の報知手段によって警告を報知させる警告制御手段と、
を備えたことを特徴とする通信端末装置。
【請求項２】
指定された識別情報に対して発信操作に応じて発信する発信制御手段をさらに備え、前記警告制御手段は、前記発信元指定手段によって指定された発信元の識別情報に係る着信時間長が所定時間以下である場合において前記発信操作がなされたときに前記発信制御手段の発信を留保させて前記報知手段によって警告を報知させることを特徴とする請求項１記載の通信端末装置。
【請求項３】
前記警告制御手段は、音声発生手段によって音声による警告を報知させることを特徴とする請求項１又は２記載の通信端末装置。
【請求項４】
前記警告制御手段は、表示手段によって表示による警告を報知させることを特徴とする請求項１又は２記載の通信端末装置。
【請求項５】
前記警告制御手段は、装置本体を振動させる振動手段によって警告を報知させることを特徴とする請求項１又は２記載の通信端末装置。
【請求項６】
着信に応じて発信元の識別情報および着信時間長を所定の記憶手段に記憶する第１のステップと、
選択操作に応じて前記記憶手段に記憶されている任意の発信元の識別情報を指定する第２のステップと、
前記第２のステップによって指定された発信元の識別情報に係る着信時間長が所定時間以下である場合には所定の報知手段によって警告を報知させる第３のステップと、
を実行することを特徴とする通信制御処理のプログラム。
【発明の詳細な説明】
【０００１】
【発明の属する技術分野】
本発明は、通信端末装置および通信制御処理のプログラムに関し、特に、不適切な着信に起因するユーザの不利益を防止するための通信端末装置および通信制御処理のプログラムに関する。
【０００２】
【従来の技術】
通信端末装置の着信に対する制御については、従来からいくつか提案がなされている。
例えば、被呼側が電話に出られない場合や出る必要のない場合に、電話回線を接続することなく、被呼側に特定の情報を伝達することができる通信端末装置の提案がある。この提案によれば、発呼側からのリンガを計数するカウント手段と、発呼側ＩＤを検出するＩＤ受信手段と、前記カウント手段の計数値と前記ＩＤとにより定まるメッセージを再生する再生手段と、リンガ回数と発呼側ＩＤとに対応するメッセージを記憶するテーブルと、着呼の際に前記計数値と発呼側ＩＤとにより定まるメッセージを特定する情報を一時記憶する記憶手段とを具備し、オペレータの再生指示に応じて前記情報に対応する前記メッセージを再生する構成になっている（特許文献１参照）。
また、例えば、いたずら電話等の迷惑電話によって必要な格納データが消失するのを防止する着信履歴データの格納方法に関する提案がある。この提案によれば、着信履歴エリアに着信電話データを格納することを拒否する発信者電話番号を予め拒否特定番号として登録し、着信時に通知された発信者電話番号と前記拒否特定番号とを比較し、不一致時のみ前記着信電話データの格納を行う構成になっている（特許文献２参照）。
【０００３】
【特許文献１】
特開平１０−２２４５０９号公報（段落番号「０００６」、「０００７」、「０００９」）
【特許文献２】
特開２００１−２１７９１９号公報（段落番号「０００５」、「０００６」）
【０００４】
【発明が解決しようとする課題】
近年、携帯電話を利用した悪質な商法が横行して社会問題となっている。この商法は、業者が任意の携帯電話に対して一瞬だけ発呼して、その携帯電話のユーザが着信を受ける前に切断する無料の発信を行い、携帯電話のユーザがその着信を不審に思って、着信履歴に保存されているその電話番号に電話をかけ直すと、法外な情報料金を取られるというものであり、通称「ワンギリ」と呼ばれている。
しかしながら、従来の技術においては、このような不適切な着信によってユーザが受ける被害を防止することはできなかった。
例えば、上記特許文献１の提案においては、予め登録した電話番号と１回のリンガ回数との組み合わせでメッセージを報知することはできるが、初めて着信した登録されていない電話番号については、特定のメッセージ（例えば、「悪質なワンギリですよ！」のような警告メッセージ）を報知することはできない。また、例えば、上記特許文献２の提案においても、「ワンギリ」の電話番号が悪質な業者のものであると判明して、拒否特定番号として登録した後でなければ有効な対策にはならない。したがって、「ワンギリ」の電話番号の発信元が不明な状況で、ユーザが不用意に電話をかけ直す場合には、上記特許文献１および２を含めた従来の技術をもってしては、悪質な「ワンギリ」の被害を防止することはできなかった。
本発明の目的は、悪質な「ワンギリ」のような不適切な着信に起因するユーザの不利益を防止するための通信端末装置および通信制御処理のプログラムを提供するものである。
【０００５】
【課題を解決するための手段】
請求項１に記載の通信端末装置は、着信に応じて発信元の識別情報および着信時間長を所定の記憶手段（実施形態においては、図１の加入者情報記憶部１４に相当する）に記憶する着信制御手段（実施形態においては、図１の制御部１３に相当する）と、選択操作に応じて記憶手段に記憶されている任意の発信元の識別情報を指定する発信元指定手段（実施形態においては、図１の制御部１３に相当する）と、発信元指定手段によって指定された発信元の識別情報に係る着信時間長が所定時間以下である場合には所定の報知手段（実施形態においては、図１のスピーカ３、表示部４、又はバイブレータ１０に相当する）によって警告を報知させる警告制御手段（実施形態においては、図１の制御部１３に相当する）とを備えた構成になっている。
【０００６】
この場合において、指定された識別情報に対して送信操作に応じて発信する発信制御手段（実施形態においては、図１の制御部１３に相当する）をさらに備え、警告制御手段は、発信元指定手段によって指定された発信元の識別情報に係る着信時間長が所定時間以下である場合において送信操作がなされたときに発信制御手段の発信を留保させて報知手段によって警告を報知させるように構成してもよい。
また、警告制御手段は、音声発生手段（実施形態においては、図１のスピーカ３に相当する）によって音声による警告を報知させる構成にしてもよい。
また、警告制御手段は、表示手段（実施形態においては、図１の表示部４に相当する）によって表示による警告を報知させるように構成してもよい。
また、警告制御手段は、警告制御手段は、装置本体を振動させる振動手段（実施形態においては、図１のバイブレータ１０に相当する）によって警告を報知させるように構成してもよい。
【０００７】
請求項６記載の通信制御処理のプログラムは、着信に応じて発信元の識別情報および着信時間長を所定の記憶手段（実施形態においては、図１の加入者情報記憶部１４に相当する）に記憶する第１のステップと、選択操作に応じて記憶手段に記憶されている任意の発信元の識別情報を指定する第２のステップと、第２のステップによって指定された発信元の識別情報に係る着信時間長が所定時間以下である場合には所定の報知手段（実施形態においては、図１のスピーカ３、表示部４、又はバイブレータ１０に相当する）によって警告を報知させる第３のステップとを実行する。なお、第１ないし第３のステップは、実施形態においては、図１の制御部１３の機能に相当する。
【０００８】
【発明の実施の形態】
以下、本発明による通信端末装置の実施形態について、携帯電話を例に採って図を参照して説明する。
図１は、実施形態における携帯電話１の構成を示すブロック図である。まず、機構的な構成について説明する。携帯電話１の本体ケース（図示せず）には、送受信のアンテナ２、音声発生用のスピーカ３、カラー液晶などからなる表示部４、キー入力部５、音声入力用のマイク６、モノクロ液晶などからなるサブ表示部７、背面キー８、リンガ音で着信を通知するスピーカ９が設けられている。さらに、キー入力部５には、テンキー、クリアキー、発信キーなど（図示さず）のほかに、オフフックキー５１およびオンフックキー５２が設けられている。背面キー８は、透明又は半透明の部材で構成され、着信に応じて点滅するＬＥＤ８１を内蔵している。また、振動によって着信を通知するバイブレータ１０が本体ケースに内蔵されている。
【０００９】
次に、電気的な構成について説明する。無線送受信部１１は、アンテナ２を介して、変調された音声やデータを送信又は受信する。無線信号処理部１２は、無線送受信部１１によって受信された音声やデータを復調し、無線送受信部１１によって送信される音声やデータを変調する。制御部１３は、この装置全体を制御し、内部に着信時間長を計測するタイマ１３１を備えている。
【００１０】
加入者情報記憶部１４は、アドレス帳エリア、着信履歴エリア、発信履歴エリアなどで構成されている。各エリアのデータについては後述する。システムＲＯＭ１５は、制御部１３によって実行される通信制御処理のプログラム、合成音声データ、種々の初期データなどを記憶している。メモリ１６は、制御部１３によって処理されるデータを一時的に記憶するワークエリアである。
【００１１】
音声信号処理部１７は、通話中の音声信号や合成音声データの音声信号をディジタルからアナログに変換してスピーカ３に与えて発音させるとともに、マイク６からの音声信号をアナログからディジタルに変換して制御部１３に入力する。ドライバ１８は、背面キー８のＬＥＤ８１、スピーカ９、およびバイブレータ１０を駆動する。ドライバ１９は、表示部４を駆動する。ドライバ２０は、サブ表示部７を駆動する。
【００１２】
図２は、図１の加入者情報記憶部１４におけるアドレス帳エリア１４１、着信履歴エリア１４２、発信履歴エリア１４３の構成を示す図である。アドレス帳エリア１４１には、複数のアドレスの登録が可能であり、キー入力部５の登録操作によって通信相手の名前、電話番号、その他のデータなどが記憶される。着信履歴エリア１４２には、複数の着信データの履歴を記憶するエリアがあり、各エリアごとに着信した発信元の名前、電話番号、着信日時が記憶され、着信時間長の計測結果がワンギリＦに記憶される。発信履歴エリア１４３には、複数の発信データの履歴を記憶するエリアがあり、各エリアごとに発信した発信先の名前、電話番号、発信日時が記憶される。
【００１３】
次に、この実施形態の構成による通信制御処理の動作について、図３ないし図８に示す制御部１３のフローチャートを参照して説明する。
図３は、メインフローチャートである。表示部４に待受画面を表示して（ステップＡ１）、着信処理（ステップＡ２）、発信処理（ステップＡ３）、着信履歴参照処理（ステップＡ４）、その他の処理（ステップＡ５）を繰り返すループ処理を実行する。
【００１４】
図４は、図３のメインフローチャートにおけるステップＡ２の着信処理のフローチャートである。まず、着信ありか否かを判別し（ステップＢ１）、着信がない場合にはこのフローを終了するが、着信があったときはタイマをスタートする（ステップＢ２）。次に、ドライバ１９を駆動させてスピーカ９によって着信音を報知する（ステップＢ３）。そして、呼出しが継続中か否かを判別する（ステップＢ４）。継続中である場合には、キー入力部５のオフフックキー５１によってオフフック操作がされたか否かを判別する（ステップＢ５）。オフフック操作がされない場合には、ステップＢ３に移行して着信音の報知を続ける。
【００１５】
ステップＢ５において、オフフック操作がされたときは、無線送受信部１１を介して発信元との間で回線接続を行って、通話モードに移行して通話処理を実行する（ステップＢ６）。すなわち、受信した発信元からの音声信号を無線信号処理部１２でディジタルの音声信号に復調して、音声処理部１７によってアナログの音声信号に変換してスピーカ３から音声を発生させるとともに、マイク６からの音声信号を音声処理部１７によってディジタルの音声信号に変換して、無線信号処理部１２で変調して発信元に送信する。また、この通話モードにおいては、キー入力部５のオンフックキー５２によってオンフック操作がされたか否かを判別する（ステップＢ７）。オンフック操作がされない場合には、通話モードを維持してステップＢ６の通話処理を続行する。
【００１６】
ステップＢ７において、オンフック操作がされたときは、無線送受信部１１を介して発信元との回線切断を行って、通話モードから待受けモードに移行する。そして、加入者情報記憶部１４の着信履歴エリア１４２に発信者データをストアする（ステップＢ８）。次に、ドライバ１９を駆動して表示部４に待受画面を表示する（ステップＢ９）。そして、メインフローチャートに戻る。
【００１７】
ステップＢ４において、呼出し継続中でない場合、すなわち、着信して着信音を報知している間において、オフフック操作がされる前に発信元の呼出しが停止したときは、タイマカウントを停止する（ステップＢ１０）。そして、タイマのカウント値が所定値未満であるか否かを判別する（ステップＢ１１）。例えば、カウント値が２回未満であるか否かを判別する。所定値未満すなわちワンギリである場合には、発信者データが加入者情報記憶部１４のアドレス帳エリア１４１にないか否かを判別する（ステップＢ１２）。アドレス帳エリア１４１にない場合、すなわち、初めて着信した発信者である場合には、発信データをストアすべき着信履歴エリアのワンギリＦを「１」にセットする（ステップＢ１３）。この後、又は、ステップＢ１２において発信者データがアドレス帳エリア１４１にすでにある場合、若しくは、ステップＢ１１においてカウント値が所定値以上である場合には、発信者データをストアして（ステップＢ８）、表示部４に待受画面を表示する（ステップＢ９）。そして、図３のメインフローチャートに戻る。
【００１８】
図５および図６は、メインフローチャートにおけるステップＡ３の発信処理のフローチャートである。図５において、まず、オフフック操作がされたか否かを判別し（ステップＣ１）、オフフック操作がされない場合はこのフローを終了するが、オフフック操作がされたときは表示部４に入力画面を表示する（ステップＣ２）。そして、キー入力部５のテンキーから番号が入力されたか否かを判別する（ステップＣ３）。番号が入力されない場合には、キー入力部５のクリアキーによってクリア操作がされたか否かを判別する（ステップＣ４）。クリア操作がされない場合には、ステップＣ３において番号入力を待つ。
【００１９】
番号入力がされたときは、加入者情報記憶部１４の着信履歴エリア１４２を検索して（ステップＣ５）、入力された番号と同一の電話番号があるか否かを判別する（ステップＣ６）。同一の電話番号がある場合には、ワンギリＦが「１」であるか否かを判別する（ステップＣ７）。ワンギリＦが「１」である場合には、音声信号処理部１７によってスピーカ３から音声ガイダンスを発生させる（ステップＣ８）。例えば、「この電話番号はワンギリですよ！発信するかどうか確認して下さい」のような警告の音声ガイダンスを発生させる。そして、発信キーによって発信確認操作がされたか否かを判別する（ステップＣ９）。
【００２０】
発信確認操作がされたときは、ユーザがその電話番号を無害なものと判断したことになるので、ワンギリＦを「０」にリセットする（ステップＣ１０）。この後、又は、ステップＣ７においてワンギリＦが「０」である場合、若しくは、ステップＣ６において着信履歴エリア１４２に同一の電話番号がない場合には、発信データを加入者情報記憶部１４の発信履歴エリア１４３にストアして（ステップＣ１１）、発信データを送信する（ステップＣ１２）。
一方、ステップＣ９において発信確認操作がされない場合には、クリア操作がされたか否かを判別し（ステップＣ１３）、クリア操作がされない場合には、ステップＣ８の音声ガイダンスを続行する。ステップＣ１３又はステップＣ４においてクリア操作がされたときは、待受画面を表示する（ステップＣ１４）。そして、メインフローチャートに戻る。
【００２１】
ステップＣ１２において発信データを送信した後は、図６のフローチャートにおいて、呼出し待機モードに移行する（ステップＣ１５）。そして、発信先と回線が接続したか否かを判別する（ステップＣ１６）。回線が接続したときは、通話モードに移行して通話処理を実行する（ステップＣ１７）。この通話モードにおいて、オンフック操作がされたか否かを判別し（ステップＣ１８）、オンフック操作がされない場合には、通話モードを維持するが、オンフック操作がされたときは、待受画面を表示する（ステップＣ１９）。そして、図３のメインフローチャートに戻る。
【００２２】
図７および図８は、メインフローチャートにおけるステップＡ４の着信履歴参照処理のフローチャートである。キー入力部５のテンキーなどの操作によって、図７において、まず、着信履歴参照操作がされたか否かを判別する（ステップＤ１）。この操作がされない場合にはメインフローチャートに戻るが、この操作がされたときは、着信履歴エリア１４２の着信データを全て表示する（ステップＤ２）。そして、ワンギリＦが「１」の着信データの表示形態を変更する（ステップＤ３）。例えば、表示色を反転する。
【００２３】
次に、着信データの選択がされたか否かを判別する（ステップＤ４）。選択がない場合には、クリア操作がされたか否かを判別し（ステップＤ５）、クリア操作がされたときは、待受画面を表示して（ステップＤ６）、メインフローチャートに戻る。着信データの選択がされたときは、選択着信データの内容を表示する（ステップＤ７）。そして、その着信データのワンギリＦが「１」であるか否かを判別する（ステップＤ８）。ワンギリＦが「１」である場合には、表示形態を変更する（ステップＤ９）。例えば、表示を点滅する。
【００２４】
次に、発信キーによって発信操作がされたか否かを判別する（ステップＤ１０）。発信操作がされない場合には、クリア操作がされたか否かを判別する（ステップＤ１１）。クリア操作がされたときは、ステップＤ２に移行して、再び着信データの全てを表示する。クリア操作がされず発信操作がされたときは、音声ガイダンスを報知する（ステップＤ１２）。すなわち、１度目の発信操作に対する発信を留保させて警告を報知する。そして、再度の発信キーの操作によって発信確認操作がされたか否かを判別する（ステップＤ１３）。発信確認操作がされない場合には、クリア操作がされたか否かを判別する（ステップＤ１４）。クリア操作がされたときは、ステップＤ２に移行して、再び着信データの全てを表示する。また、ステップＤ８においてワンギリＦが「０」である場合において、発信操作がされたか否かを判別する（ステップＤ１５）。発信操作がされない場合には、クリア操作がされたか否かを判別する（ステップＤ１６）。クリア操作がされたときは、ステップＤ２に移行して、再び着信データの全てを表示する。
【００２５】
ステップＤ１３において発信確認操作がされたときは、対応するワンギリＦを「０」にリセットする（ステップＤ１７）。この後、又は、ステップＤ１５において発信操作がされたときは、図８のフローチャートにおいて、発信データを送信して（ステップＤ１８）、発信データを発信履歴エリア１４３にストアする（ステップＤ１９）。次に、呼出し待機モードに移行する（ステップＤ２０）。そして、発信先と回線が接続したか否かを判別する（ステップＤ２１）。回線が接続したときは、通話モードに移行して通話処理を実行する（ステップＤ２２）。この通話モードにおいて、オンフック操作がされたか否かを判別し（ステップＤ２３）、オンフック操作がされない場合には、通話モードを維持するが、オンフック操作がされたときは、待受画面を表示する（ステップＤ２４）。そして、図３のメインフローチャートに戻る。
【００２６】
以上のように、この実施形態によれば、制御部１３は、着信に応じて発信元の識別情報である電話番号、および、着信時間長すなわち呼出し回数を加入者情報記憶部１４に記憶し、キー入力部５によって指定された電話番号の着信データにおける呼出し回数が１回だけのワンギリである場合には、ユーザがその電話番号に発信しようと操作した場合には、スピーカ３によって音声ガイダンスで警告を報知させる。したがって、悪質な「ワンギリ」のような不適切な着信に起因するユーザの不利益を防止することができる。
【００２７】
この場合において、さらに、制御部１３は、音声ガイダンスの警告とともに、ワンギリの電話番号の表示形態を変更するので、よりいっそうユーザの注意を喚起することができる。さらにまた、制御部１３は、ワンギリの電話番号が発信の対象にされたときは、バイブレータ１０によっても警告を報知するようにしてもよい。
【００２８】
なお、上記実施形態においては、システムＲＯＭ１５に予め記憶されている通信制御処理のプログラムを制御部１３が実行する通信端末装置について説明したが、メモリスティックなどの外部メモリを駆動するドライバを設けて、その外部メモリから通信制御処理のプログラムをインストールする構成にしてもよい。あるいは、外部のサーバなどの装置と無線回線で接続して、アンテナ２、無線送受信部１１、および無線信号処理部１２を介して、通信制御処理のプログラムをインストールする構成にしてもよい。この場合には、プログラムの発明を実現できる。
【００２９】
すなわち、その通信制御処理のプログラムは、着信に応じて発信元の識別情報および着信時間長を所定の記憶手段に記憶する第１のステップと、選択操作に応じて記憶手段に記憶されている任意の発信元の識別情報を指定する第２のステップと、第２のステップによって指定された発信元の識別情報に係る着信時間長が所定時間以下である場合には所定の報知手段によって警告を報知させる第３のステップとを実行することを特徴とする。
【００３０】
【発明の効果】
本発明によれば、着信に応じて発信元の識別情報および着信時間長を所定の記憶手段に記憶して、選択操作に応じて記憶手段に記憶されている任意の発信元の識別情報を指定された発信元の識別情報に係る着信時間長が所定時間以下である場合には所定の報知手段によって警告を報知させる。したがって、悪質な「ワンギリ」のような不適切な着信に起因するユーザの不利益を防止することができるという効果が得られる。
【図面の簡単な説明】
【図１】本発明の実施形態における携帯電話１の構成を示すブロック図。
【図２】図１の加入者情報記憶部におけるアドレス帳エリア、着信履歴エリア、発信履歴エリアの構成を示す図。
【図３】図１の制御部の動作を示すメインフローチャート。
【図４】図３における着信処理のフローチャート。
【図５】図３における発信処理のフローチャート。
【図６】図５に続く発信処理のフローチャート。
【図７】図３における着信履歴参照処理のフローチャート。
【図８】図７に続く着信履歴参照処理のフローチャート。
【符号の説明】
１  携帯電話
２  アンテナ
３、９  スピーカ
４  表示部
５  キー入力部
６  マイク
７  サブ表示部
８  背面キー
１０  バイブレータ
１１  無線送受信部
１２  無線信号処理部
１３  制御部
１４  加入者情報記憶部
１５  システムＲＯＭ
１６  メモリ
１７  音声信号処理部
１８、１９、２０  ドライバ
５１  オフフックキー
５２  オンフックキー
８１  ＬＥＤ
１３３  タイマ
【図１】
2005020043.tif 000003
【図２】
2005020043.tif 000004
【図３】
2005020043.tif 000005
【図４】
2005020043.tif 000006
【図５】
2005020043.tif 000007
【図６】
2005020043.tif 000008
【図７】
2005020043.tif 000009
【図８】
2005020043.tif 000010